(57)【要約】【課題】使用者の意図に反し不用意に蓋が閉まることの無い、使用勝手の良いパン製造機を提供する。【解決手段】内部に焼成庫２を有する製品本体１と、ヒンジ部６を有すると共に前記焼成庫２上方を開閉自在に覆う蓋３と、前記製品本体１と前記蓋３を連結するヒンジ機構９を備え、前記ヒンジ機構９は、前記ヒンジ部６に形成された軸４と、前記製品本体１に設けられ前記軸４を回動自在に軸支する穴５とで構成され、前記穴５は前記軸４が上下方向に移動できるような形状とし、前記ヒンジ部６に、前記蓋３が開き切る前に前記製品本体１と干渉する凸部７を設けたもので、蓋３が開ききった状態で、不用意に使用者が蓋３に軽く触れたり、或いは比較的小さな振動が蓋３に加わっても、凸部７が製品本体１と干渉するため、蓋３が使用者の意図に反してバタンと不用意に閉まることがない。【選択図】図１
2008200076.tif 000002
【特許請求の範囲】
【請求項１】
内部に焼成庫を有する製品本体と、ヒンジ部を有すると共に前記焼成庫上方を開閉自在に覆う蓋と、前記製品本体と前記蓋を連結するヒンジ機構を備え、前記ヒンジ機構は、前記ヒンジ部に形成された軸と、前記製品本体に設けられ前記軸を回動自在に軸支する穴とで構成され、前記穴は前記軸が上下方向に移動できるような形状とし、前記ヒンジ部に、前記蓋が開き切る前に前記製品本体と干渉する凸部を設けたパン製造機。
【請求項２】
穴を略長円形状にして、軸が上下方向に移動できるようにした請求項１に記載のパン製造機。
【請求項３】
ヒンジ機構を一対設け、それぞれのヒンジ部に凸部を設けた請求項１又は２に記載のパン製造機。
【請求項４】
凸部の断面を略三角形状とした請求項１〜３のいずれか１項に記載のパン製造機。
【請求項５】
製品本体に、蓋の開成時に凸部と当接する突起を設けた請求項１〜４のいずれか１項に記載のパン製造機。
【請求項６】
製品本体に、蓋の開成時にそれぞれの凸部と当接する突起を設けた請求項３又は４に記載のパン製造機。
【発明の詳細な説明】
【技術分野】
【０００１】
本発明は、パン製造機に関するもので、特に、パン製造機の焼成庫を開閉自在に覆う蓋のヒンジ機構に関するものである。
【背景技術】
【０００２】
従来のパン製造機の焼成庫を開閉自在に覆う蓋のヒンジ機構として、図５に示されるようなものがあった（例えば、特許文献１参照）。図５は、従来のパン製造機の断面図である。
【０００３】
図５において、従来のパン製造機の蓋のヒンジ機構は、パン製造機の蓋１０１に形成され外側を向いたヒンジ軸１０２と、本体１０４に形成され内側に開口している軸穴１０３とからなり、ヒンジ軸１０２を軸穴１０３で回動自在に軸支することで、蓋１０１を開閉自在としている。
【特許文献１】特開平１０−３３３８９号公報
【発明の開示】
【発明が解決しようとする課題】
【０００４】
しかしながら上記従来のパン製造機のヒンジ機構の構成では、蓋１０１を開いた状態の時、不用意に使用者が蓋１０１に軽く触れたり、比較的小さな振動が加わったりすると、蓋１０１がバタンと閉じてしまい、使い勝手が悪いという課題を有していた。
【０００５】
本発明は、前記従来の課題を解決するもので、使用者の意図に反し、開いた蓋が不用意に閉まることの無い、使用勝手の良いパン製造機を提供することを目的とする。
【課題を解決するための手段】
【０００６】
前記従来の課題を解決するために、本発明のパン製造機は、内部に焼成庫を有する製品本体と、ヒンジ部を有すると共に前記焼成庫上方を開閉自在に覆う蓋と、前記製品本体と前記蓋を連結するヒンジ機構を備え、前記ヒンジ機構は、前記ヒンジ部に形成された軸と、前記製品本体に設けられ前記軸を回動自在に軸支する穴とで構成され、前記穴は前記軸が上下方向に移動できるような形状とし、前記ヒンジ部に、前記蓋が開き切る前に前記製品本体と干渉する凸部を設けたもので、蓋が開ききった状態で、不用意に使用者が蓋に軽く触れたり、或いは比較的小さな振動が蓋に加わっても、凸部が製品本体と干渉するため、蓋が使用者の意図に反してバタンと不用意に閉まることがない。
【発明の効果】
【０００７】
本発明のパン製造機は、蓋を開いた状態で、使用者が不用意に蓋に軽く触れたり、比較的小さな振動が蓋に加わっても、蓋が使用者の意図に反しバタンと不用意に閉まるのを防ぐことができる。
【発明を実施するための最良の形態】
【０００８】
第１の発明は、内部に焼成庫を有する製品本体と、ヒンジ部を有すると共に前記焼成庫上方を開閉自在に覆う蓋と、前記製品本体と前記蓋を連結するヒンジ機構を備え、前記ヒンジ機構は、前記ヒンジ部に形成された軸と、前記製品本体に設けられ前記軸を回動自在に軸支する穴とで構成され、前記穴は前記軸が上下方向に移動できるような形状とし、前記ヒンジ部に、前記蓋が開き切る前に前記製品本体と干渉する凸部を設けたもので、蓋が開ききった状態で、不用意に使用者が蓋に軽く触れたり、或いは比較的小さな振動が蓋に加わっても、凸部が製品本体と干渉するため、蓋が使用者の意図に反してバタンと不用意に閉まることがない。
【０００９】
第２の発明は、特に、第１の発明の穴を略長円形状にして、軸が上下方向に移動できるようにしたもので、蓋を開閉する際に、蓋側の凸部が製品本体と干渉しても、軸が上方に移動、すなわち蓋が上方に逃げることができる。したがって、蓋開閉時に凸部が製品本体と干渉する際にクリック感を発生させることができ、蓋を開いた状態で、不用意に使用者が蓋に軽く触れたり、比較的小さな振動が加わっても、蓋が使用者の意図に反しバタンと不用意に閉まるのを防ぐことができる。
【００１０】
第３の発明は、特に、第１又は第２の発明のヒンジ機構を一対設け、それぞれのヒンジ部に凸部を設けたもので、より安定して蓋が使用者の意図に反しバタンと不用意に閉まるのを防ぐことができる。
【００１１】
第４の発明は、特に、第１〜３のいずれか一つの発明の凸部の断面を略三角形状としたもので、蓋開閉時に、蓋側の凸部が製品本体と干渉する際に発生するクリック感をより明確な感触で発生させることができ、より確実に蓋が使用者の意図に反しバタンと不用意に閉まるのを防ぐことができる。
【００１２】
第５の発明は、特に、第１〜４のいずれか一つの発明の製品本体に、蓋の開成時に凸部と当接する突起を設けたもので、蓋開閉時に蓋のヒンジ部に設けた凸部が、製品本体と干渉する際に発生するクリック感を、より明確な感触で発生させることができ、より確実に、蓋が使用者の意図に反しバタンと不用意に閉まるのを防ぐことができる。
【００１３】
第６の発明は、第３又は第４の発明の製品本体に、蓋の開成時にそれぞれの凸部と当接する突起を設けたもので、蓋開閉時に蓋側のヒンジ部に設けた凸部が、製品本体と干渉する際に発生するクリック感をより明確な感触で発生させることができ、より確実に蓋が、使用者の意図に反しバタンと不用意に閉まるのを防ぐことができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるパン製造機の断面図、図２は、同パン製造機の平面図、図３は、同パン製造機の要部拡大平面図、図４は、同パン製造機の動作図である。
【００１６】
図１〜図４において、本実施の形態におけるパン製造機の製品本体１の内部には、焼成庫２があり、その焼成庫２の上方は、蓋３により開閉自在に覆われている。製品本体１と蓋３は、蓋３の後部に配されたヒンジ部６と、ヒンジ部６に設けた軸４と、製品本体１側に設けられ、軸４を軸支する穴５から成るヒンジ機構９により連結されている。
【００１７】
製品本体１側の穴５は、軸４が上下方向に移動できるように長円形状をしている。蓋３側のヒンジ部６には、蓋３が開き切る前に、製品本体１の表面と干渉する断面略三角形状の凸部７が設けられている。また、製品本体１側には、蓋３が開き切る前に、蓋３側の凸部７が当接する突起８を設けている。
【００１８】
蓋３を開閉する際、図４（ｂ）に示すように、凸部７が、製品本体１と突起８のそれぞれと干渉するが、穴５が、軸４が上下方向に移動できるように長円形状をしているので、蓋３全体が上方向に動く。その際に、クリック感が大きく得られ、蓋３を開いた状態で、不意に使用者が蓋３に軽く触れたり、比較的小さな振動が加わっても、蓋３が使用者の意図に反しバタンと不用意に閉まることを防ぐことができる。
【００１９】
本実施の形態では、ヒンジ機構９は、製品本体１の後部に左右に分かれて一対設けられ、それぞれのヒンジ部６に凸部７を設けると共に、製品本体１側にも、それぞれの凸部７に対応させて突起８を設けているので、より安定して蓋３が使用者の意図に反しバタンと不用意に閉まるのを防ぐことができる。
【００２０】
また、本実施の形態では、凸部７の断面形状を略三角形としているので、蓋３を開閉する際に、凸部７が突起８に一旦当接し、乗り越える時の力の変化が急激になるので、その時に発生するクリック感をより明確な感触で発生させることができ、より確実に蓋３が使用者の意図に反しバタンと不用意に閉まるのを防ぐことができる。
【００２１】
また、製品本体１側に蓋３側の凸部７が当接する突起８を２ヶ所設けたことにより、蓋３の開閉時に蓋３側のヒンジ部６に設けた凸部７が、製品本体１と干渉する際に発生するクリック感をより明確な感触で発生させることができ、より確実に蓋３が使用者の意図に反しバタンと不用意に閉まるのを防ぐことができる。
【００２２】
尚、上記実施の形態では、ヒンジ部６に設けた凸部７を、製品本体１に設けた突起８に当接させてクリック感を持たせるようにしたが、製品本体１に突起８を設けず、ヒンジ部６に設けた凸部７が、蓋３の開成時に製品本体１の表面だけと干渉するだけでもクリック感が得られることは言うまでも無い。
【産業上の利用可能性】
【００２３】
以上のように、本発明にかかるパン製造機は、使用者が意図しない時に不意に蓋が閉まるのを防ぐことができるもので、パン製造機に限らず、開閉自在の蓋を備えた各種機器にも広く適用可能である。
【図面の簡単な説明】
【００２４】
【図１】本発明の第１の実施の形態におけるパン製造機の断面図
【図２】同パン製造機の平面図
【図３】同パン製造機の要部拡大平面図
【図４】（ａ）同パン製造機の動作図（蓋が閉じた状態）（ｂ）同パン製造機の動作図（蓋が開成途中の状態）（ｃ）同パン製造機の動作図（蓋が開ききった状態）
【図５】従来のパン製造機の断面図
【符号の説明】
【００２５】
１  製品本体
２  焼成庫
３  蓋
４  軸
５  穴
６  ヒンジ部
７  凸部
８  突起
９  ヒンジ機構
【図１】
2008200076.tif 000003
【図２】
2008200076.tif 000004
【図３】
2008200076.tif 000005
【図４】
2008200076.tif 000006
【図５】
2008200076.tif 000007